(57)【要約】      （修正有）【課題】室内、屋外問わずに歩くだけで下半身の深層部にある小さな筋肉にまで負荷をかけることができる足底板本体を提供する。【解決手段】歩いた時に足首が内側に運動することができるとともに、足の第５中足骨粗面、第５基節骨周辺に相当する部分の余計な動きを抑える構造とする。【選択図】図１
2013230333.tif 000002
【特許請求の範囲】
【請求項１】
履物の足底板を形成するものであって、
湾曲可能な剛性部材から成る足底板上面と、
前記足底板の下面には小指側側面に１つ以上の凸状部を形成する柔軟な弾力部材と、
から成り、土踏まずに相当する部分を他の部分より薄く形成することを特徴とする足底板本体。
【請求項２】
前記足底板本体は、土踏まずに相当する部分をくり抜くことができることを特徴とする請求項１に記載の足底板本体。
【請求項３】
前記１つ以上の凸状部の位置は、足の第５中足骨粗面に相当する部分に形成することを特徴とする請求項１乃至請求項２に記載の足底板本体。
【請求項４】
前記１つ以上の凸状部の位置は、足の第５中足骨粗面または足の第５基節骨に相当する部分に形成することを特徴とする請求項１乃至請求項３に記載の足底板本体。
【発明の詳細な説明】
【技術分野】
【０００１】  本発明は、歩くことで足の深層部にある小さな筋肉まで鍛えることができる中敷き、サンダル、スリッパ、ブーツ、スポーツシューズなど履物全般の足底板本体に関するものである。
【背景技術】
【０００２】  普通に歩くだけで無理なく運動不足を解消するという履物があった。
【先行技術文献】
【特許文献】
【０００３】
【特許文献１】  特願２００７−３１３９８５号広報
【発明の概要】
【発明が解決しようとする課題】
【０００４】  特許文献１に記載の履物は、土踏まずの上下両端２カ所に突起物を設け足全体を少し浮かせた状態にする構造だった。【０００５】  本発明は、歩いた時に足首が内側に運動することができるとともに、足の第５中足骨粗面、第５基節骨周辺に相当する部分の余計な動きを抑える構造とする。
【課題を解決するための手段】
【０００６】  請求項１に記載の本発明の足底板本体は、履物の足底板を形成するものであって、湾曲可能な剛性部材から成る足底板上面と、足底板の下面には小指側側面に１つ以上の凸状部を形成する柔軟な弾力部材と、から成り、土踏まずに相当する部分を他の部分より薄く形成することを特徴とする。【０００７】  請求項２に記載の本発明の足底板本体は、土踏まずに相当する部分をくり抜くことができることを特徴とする。【０００８】  請求項３に記載の本発明の足底板本体は、１つ以上の凸状部の位置は、足の第５中足骨粗面に相当する部分に形成することを特徴とする。【０００９】  請求項４に記載の本発明の足底板本体は、１つ以上の凸状部の位置は、足の第５中足骨粗面さらに足の第５基節骨に相当する部分に形成することを特徴とする。
【発明の効果】
【００１０】  請求項１に記載の本発明の足底板本体は、足底板の上面に湾曲可能な剛性部材を使用することで歩行、走行時に剛性部材にバネのような弾性効果を生み出させることができる。足を踏み込んだ力で剛性部材の反発力を高めることで、足の指を使った歩行ができ足の指を使うことで筋肉の運動量を増幅させた歩行、走行ができるという優れた効果を発揮する。【００１１】  また、土踏まずに相当する部分を足底板本体の他の部位より薄く形成することで、歩行、走行時に足を踏み込んだ際、親指側が内側に傾き足首を捻じるように運動をすることができる。足首が捻じり運動をすることで、ふくらはぎ、膝、太もも、腰などの部位も連動して運動され深層部の小さな筋肉にまで広く負荷をかけることができる。歩くだけで、通常の履物をはいて歩くよりも筋肉の運動量を向上させることができるという優れた効果を発揮する。【００１２】  請求項２に記載の本発明の足底板本体は、土踏まずに相当する部分をくり抜く効果としては、土踏まずに相当する部分を薄くした場合よりも、足底板本体の上面と足底板底面の高低差が大きくなり、歩行、走行時の足の踏み込みの際に、さらに足首が内側に捻じられるようになる。足首が内側に大きく運動をすることで、さらに深層部の小さな筋肉にまで広く深く負荷をかけることができるという優れた効果を発揮する。【００１３】  請求項３に記載の本発明の足底板本体は、足の第５中足骨粗面に相当する部分に凸状部を形成することで、使用者の足が履物内部において外側方向に移動することを防ぐためである。第５中足骨粗面は歩行、走行時に足が外側に傾く事を防ぐための部位であり、この第５中足骨粗面に相当する部位を厚く形成することで、体重移動で足が外側に傾く事を強固に防ぐことができる。これにより、エネルギーを外側方向にロスすることを防ぎ、無駄のない歩行、走行、運動をすることができるという優れた効果を発揮する。【００１４】  請求項４に記載の本発明の足底板本体は、足の第５中足骨粗面または第５基節骨に相当する部分に凸状部を形成することで、歩行、走行時のエネルギーのロスを防ぐことと、足首の動きを強固にし、足の指先を使った力強い歩行、走行ができるという優れた効果を発揮する。
【図面の簡単な説明】
【００１５】
【図１】  本発明の足底板本体の平面図である。
【図２】  本発明の足底板本体の側面図である。
【図３】  本発明の足底板本体の正面図である。
【図４】  本発明の足底板本体の第２の実施例の平面図である。
【図５】  本発明の足底板本体の第２の実施例の側面図である。
【図６】  本発明の足底板本体の第２の実施例の正面図である。
【図７】  本発明の第２の実施例の足底板本体を履いた時の足底板本体の動きと足の動きの正面図である。
【図８】  人間の足を構成する骨である。
【発明を実施するための最良の形態】
【００１６】  以下、本発明を図面に示す実施形態図１〜８に基づき説明をする。ただし、以下の実施するための形態は、本発明を足底板本体の一例として説明するものであり、この説明の図の項に限定されるものではない。【００１７】  図１は、本発明の足底板本体の平面図である。足底板本体１、薄い部位２、凸状部３、剛性部材４から構成される。【００１８】  図２は、本発明の足底板本体の側面図である。足底板本体１、薄い部位２、凸状部３、剛性部材４から構成される。凸状部３は足の第５中足骨粗面周辺に形成することが望ましく、外踏まず側を厚く形成し、土踏まず側を薄く形成し傾斜をつくることができる。また、外踏まず側を薄く形成し、土踏まず側を厚く形成した傾斜をつくることもできる。傾斜の角度、向きは鍛える筋肉の部位により任意決定する。【００１９】  凸状部３は、第５中足骨粗面周辺に形成することで、第５中足骨周辺の足の遊びを押さえ込むことができ、歩行、走行、運動時に下半身からエネルギーが逃げるのを抑制することができる。【００２０】  また、湾曲可能な剛性部材４を使用することで歩行、走行時に剛性部材４にバネのように弾性効果を生じさせることができる。且つ土踏まずに相当する薄い部位２を形成することで、剛性部材４の弾力と相まって歩行、走行時に足首が内側に捻じられた状態で踏み込むことができ、これにより、足の指の運動量を増幅させた歩行、走行ができるようになる。【００２１】  また、剛性部材４の上面には布繊維、皮、発泡材などを使って被覆することが望ましい。これにより、汗を吸収したり滑り止めの役目を果たすことができる。【００２２】  図３は、本発明の足底板本体の正面図である。足底板本体１、薄い部位２、凸状部３から構成される。凸状部３は、足の小指側の側面側を厚く、指先側を向いた部位と土踏まず側を向いた部位が薄く形成されているが、図３は一例であり凸状部３は、前後左右とも同じ厚さに形成することもできる。【００２３】  図４は、本発明の足底板本体の第２の実施例の平面図である。足底板本体５、薄い部位６、凸状部７、凸状部８、剛性部材９から構成される。凸状部７は足の第５中足骨粗面に相当する部位に形成し、凸状部８は足の第５基節骨に相当する部位に形成することが望ましい。【００２４】  図５は、本発明の足底板本体の第２の実施例の側面図である。足底板本体５、薄い部位６、凸状部７、凸状部８、剛性部材９から構成される。各人の足の形状が異なることから、凸状部７、凸状部８の厚さは各々異なる厚さに形成することができる。例えば、凸状部７を厚く形成し、凸状部８を薄く形成することもできる。逆に、凸状部７を薄く形成し、凸状部８を厚く形成することも任意である。【００２５】  また、凸状部８は単独で１つだけ第５基節骨に相当する部位に形成することもできる。この場合は、足の小指の付け根が凸状部８に押し上げられた状態となる。小指側が凸状部８に押され上向いた分、体を安定させようと足首に力が入り、この状態で歩行、走行を行うことで足首、脛、膝などの筋肉の運動量を向上させることができる。【００２５】  図６は、本発明の足底板本体の第２の実施例の正面図である。足底板本体５、薄い部位６、凸状部７、凸状部８、剛性部材９から構��される。凸状部７、凸状部８は足の小指側の側面側を厚く、土踏まず側を薄く形成しているが、前後左右同じ厚さに形成することもできる。また、凸状部７、凸状部８の形状は板状、球状、半球状にも形成することもでき、形状は任意である。【００２６】  図７は、本発明の第２の実施例の足底板本体を履いた時の足底板本体の動きと足の動きの正面図である。足底板本体５、薄い部位６、凸状部７、凸状部８、剛性部材９から構成される。足底板本体５を履き、歩行、走行時に足を踏み込むと、薄い部位６が他の部位より薄くなっていることで、足の親指側が内側に沈み込み、剛性部材９が薄い部位６に沈み込む格好となる。これにより、着地時には足首が内側に捻じられた状態となる。また、足が地面から離れる際には、剛性部材９の反発する力により外側に親指側が押し上げられる格好となる。これにより、足首が回内、回外運動を繰り返し行うことができ、足首を捻じる、捻じり戻す運動ができるようになる。足首が回内、回外運動をすることにより、他の筋肉にも運動が連動され、歩くだけで、足首、脛、膝、ふくらはぎ、太もも、股関節などの深層部にある小さな筋肉にまで負荷をかけることができる。また、筋肉が通常より広く運動することで、歩くだけでシェイプアップなどにも効果が期待できる。【００２７】  また、凸状部７、凸状部８は発泡素材やゴムなどの弾性部材や硬質のプラスチック、木などで形成することができる。【００２８】  図８は、人間の足を構成する骨である。第５中足骨粗面Ａ、第５基節骨Ｂは、人間の足を形成する外側アーチを作っている部位であり、歩行、走行時に足が外側に傾かないようにする働きがある。本発明の足底板本体は、第５中足骨粗面Ａ、第５基節骨Ｂ周辺を動かないように押さえ込むことで、体のバランスを安定させながら、なおかつ運動量を向上させた歩行、走行ができるものである。
【産業上の利用可能性】
【００２９】  中敷き、サンダル、スリッパ、ブーツ、スポーツシューズなど履物全般の足底板本体に使用することで、屋外、室内問わず歩くだけで万人が健康的で且つシェイプアップなどの美容にも効果を期待することができる。
【符号の説明】
【００３０】１、５    足底板本体
２、６    薄い部位
３、７、８    凸状部
４、９    剛性部材
Ａ        第５中足骨粗面
Ｂ        第５基節骨
【図１】
2013230333.tif 000003
【図２】
2013230333.tif 000004
【図３】
2013230333.tif 000005
【図４】
2013230333.tif 000006
【図５】
2013230333.tif 000007
【図６】
2013230333.tif 000008
【図７】
2013230333.tif 000009
【図８】
2013230333.tif 000010